(57)【要約】【課題】トランスミッター装置とレシーバ装置との距離が遠い場合でも、タイマの制限時間内に認証処理を行える結果、認証を行った後に映像データを伝送することを課題とする。【解決手段】映像伝送システム１では、映像伝送装置１０が、トランスミッター装置３０が保持するキーに関する情報であるＡＫＳＶをトランスミッター装置３０から受信すると、ＡＫＳＶをレシーバ装置４０に転送するとともに、トランスミッター装置３０が保持するタイマを停止する。そして、映像伝送装置１０が、ＢＫＳＶおよびＲ０’を保持すると、トランスミッター装置３０が保持するタイマを再始動する。【選択図】        図１
2010239557.tif 000002
【特許請求の範囲】
【請求項１】
トランスミッター装置が保持するキーに関する情報である第一キー情報をトランスミッター装置から受信すると、当該第一キー情報をレシーバ装置に転送するキー情報転送部と、
前記トランスミッター装置が保持するキーに関する情報である第一キー情報をトランスミッター装置から受信すると、前記トランスミッター装置が保持するタイマを停止するタイマ停止部と、
前記レシーバ装置が保持するキーに関する情報である第二キー情報を前記レシーバ装置から受信した場合には、当該第二キー情報を保持するキー情報保持部と、
前記レシーバ装置が第一キー情報を用いて計算した結果である第二計算結果を当該レシーバ装置から受信した場合に、当該第二計算結果を保持する第二計算結果保持部と、
前記キー情報保持部によって前記第二キー情報が保持され、かつ、前記第二計算結果保持部によって前記第二計算結果が保持された場合には、前記トランスミッター装置が保持するタイマを再始動するタイマ始動部と、
を備えることを特徴とする映像伝送装置。
【請求項２】
前記タイマ停止部は、前記トランスミッター装置が保持するキーに関する情報である第一キー情報をトランスミッター装置から受信すると、前記トランスミッター装置と前記レシーバ装置とが未接続状態である旨を前記トランスミッター装置に通知し、前記トランスミッター装置が保持するタイマを停止し、
前記タイマ始動部は、前記キー情報保持部によって前記第二キー情報が保持され、かつ、前記キー情報保持部によって前記第二計算結果が保持された場合には、前記トランスミッター装置と前記レシーバ装置とが接続完了である旨を前記トランスミッター装置に通知し、前記トランスミッター装置が保持するタイマを再始動することを特徴とする請求項１に記載の映像伝送装置。
【請求項３】
トランスミッター装置が保持するキーに関する情報である第一キー情報をトランスミッター装置から受信すると、当該第一キー情報をレシーバ装置に転送するキー情報転送ステップと、
前記トランスミッター装置が保持するキーに関する情報である第一キー情報をトランスミッター装置から受信すると、前記トランスミッター装置が保持するタイマを停止するタイマ停止ステップと、
前記レシーバ装置が保持するキーに関する情報である第二キー情報を前記レシーバ装置から受信した場合には、当該第二キー情報を保持するキー情報保持部に保持させるキー情報保持ステップと、
前記レシーバ装置が第一キー情報を用いて計算した結果である第二計算結果を当該レシーバ装置から受信した場合に、当該第二計算結果を保持する第二計算結果保持部に保持させる第二計算結果保持ステップと、
前記キー情報保持ステップによって前記第二キー情報が保持され、かつ、前記第二計算結果保持ステップによって前記第二計算結果が保持された場合には、前記トランスミッター装置が保持するタイマを再始動するタイマ始動ステップと、
を含んだことを特徴とする認証方法。
【請求項４】
トランスミッター装置が保持するキーに関する情報である第一キー情報をトランスミッター装置から受信すると、当該第一キー情報をレシーバ装置に転送するキー情報転送手順と、
前記トランスミッター装置が保持するキーに関する情報である第一キー情報をトランスミッター装置から受信すると、前記トランスミッター装置が保持するタイマを停止するタイマ停止手順と、
前記レシーバ装置が保持するキーに関する情報である第二キー情報を前記レシーバ装置から受信した場合には、当該第二キー情報を保持するキー情報保持部に保持させるキー情報保持手順と、
前記レシーバ装置が第一キー情報を用いて計算した結果である第二計算結果を当該レシーバ装置から受信した場合に、当該第二計算結果を保持する第二計算結果保持部に保持させる第二計算結果保持手順と、
前記キー情報保持手順によって前記第二キー情報が保持され、かつ、前記第二計算結果保持手順によって前記第二計算結果が保持された場合には、前記トランスミッター装置が保持するタイマを再始動するタイマ始動手順と、
をコンピュータに実行させることを特徴とする認証プログラム。
【請求項５】
映像伝送装置が、トランスミッター装置が保持するキーに関する情報である第一キー情報をトランスミッター装置から受信すると、当該第一キー情報をレシーバ装置に転送するキー情報転送部と、
前記トランスミッター装置が保持するキーに関する情報である第一キー情報をトランスミッター装置から受信すると、前記トランスミッター装置が保持するタイマを停止するタイマ停止部と、
前記レシーバ装置が保持するキーに関する情報である第二キー情報を前記レシーバ装置から受信した場合には、当該第二キー情報を保持するキー情報保持部と、
前記レシーバ装置が第一キー情報を用いて計算した結果である第二計算結果を当該レシーバ装置から受信した場合に、当該第二計算結果を保持する第二計算結果保持部と、
保持するキーに関する情報である第二キー情報を前記レシーバ装置から受信した場合には、当該第二キー情報を保持するキー情報保持部と、
前記キー情報保持部によって前記第二キー情報が保持され、かつ、前記第二計算結果保持部によって前記第二計算結果が保持された場合には、前記トランスミッター装置が保持するタイマを再始動するタイマ始動部と、
を備えることを特徴とする映像伝送システム。
【発明の詳細な説明】
【技術分野】
【０００１】
この発明は、認証処理が完了した後、映像データを伝送する映像伝送装置、認証方法、認証プログラムおよび映像伝送システムに関する。
【背景技術】
【０００２】
近年、圧縮符号化技術、暗号化技術、通信技術等の向上に伴い、映画や音楽等をデジタル化したコンテンツデータをネットワーク経由で送受信することが行われている。この種のコンテンツデータは、著作権により保護されているものが多いため、違法コピーなど著作権侵害行為を実施するおそれの高い不正装置を排除するための手法も種々提案されている。
【０００３】
例えば、不正装置を排除するための手法として、ＨＤＣＰ（High-Definition  Multimedia  Interface）では、コンテンツデータの送受信に先立って、ＨＤＣＰにかかる装置を識別するための識別情報を用いて接続された装置の正当性をチェックした上で、暗号化されたコンテンツデータを送受信する。
【０００４】
ここで、ＨＤＣＰとは、デジタル著作権管理技術（ＤＲＭ（Ｄｉｇｉｔａｌ  Ｒｉｇｈｔｓ  Ｍａｎａｇｅｍｅｎｔ））の一種であり、ハイビジョンを含むデジタル方式の画像・映像コンテンツ出力を暗号化することにより、不正コピーを防ぐものである。
【０００５】
図７に例示するように、地上デジタル放送やＢｌｕｒａｙディスクなどハイビジョンコンテンツを伝送するＨＤＭＩやＤＶＩでトランスミッター装置（ビデオデッキやデジタルチューナー）とレシーバ装置（モニタ）とが接続されると、ＨＤＣＰ認証が行われる。
【０００６】
具体的には、図８に示すように、レシーバ装置は、トランスミッター装置がＡＫＳＶ（トランスミッター装置のＫＳＶ情報）をレシーバ装置に書き込んでから１００ｍｓ以内にＲ０’情報を計算する必要がある。また、トランスミッター装置は、レシーバ装置がＢＫＳＶ（レシーバ装置のＫＳＶ）を書き込んでから１００ｍｓ以内にＲ０を計算する必要がある。
【０００７】
これにより、トランスミッター装置がＳＫＳＶをライトしてから１００ｍｓ＋α（αは、ＡＫＳＶ）をライトしてからＢＫＳＶを受け取るまでにかかると思われる時間で、数ｍｓレベルの値)後に、Ｒ０とＲ０’を比較して、認証が完了する。
【０００８】
ところで、ＨＤＭＩやＤＶＩでトランスミッター装置（ビデオデッキやデジタルチューナー）とレシーバ装置（モニタ）とが接続された場合には、トランスミッター装置とレシーバ装置との間の物理的な距離が非常に近い。一方、家庭内ＬＡＮやＩＰＴＶシステムの普及により、トランスミッター装置とレシーバ装置との間の距離がＩＰなどの他伝送媒体により延長されるケースが増えてきている。
【０００９】
例えば、家庭内ＬＡＮを利用してＤＬＮＡを構築する場合や、企業内映像配信を行うような場合には、図８に示すような構成が考えられる。図８の構成において、映像伝送装置により映像をＩＰパケット化し、ＩＰネットワークを使用して映像を距離に関係なく伝送することが可能となる。なお、ネットワークを使用して映像を伝送する技術として、トランスミッター装置とレシーバ装置との間の距離が所定の範囲内の場合にのみ認証処理を行う技術がある（例えば、特許文献１参照）。
【先行技術文献】
【特許文献】
【００１０】
【特許文献１】特開２００５−４５７５６号公報
【発明の概要】
【発明が解決しようとする課題】
【００１１】
ところで、上記したトランスミッター装置とレシーバ装置との間の距離がＩＰなどの他伝送媒体により延長される技術では、トランスミッター装置によりＡＫＳＶがライトされてからレシーバ装置にＡＫＳＶが届くまでにネットワーク遅延が加算されることになり、Ｒ０’を１００ｍｓ以内に計算することは保証できない。また、レシーバ装置からＢＫＳＶがリードされてからトランスミッター装置にＢＫＳＶが届くまでにもネットワーク遅延が加算され、Ｒ０を１００ｍｓ以内に計算することも保証できない（図９参照）。
【００１２】
このため、トランスミッター装置がＡＫＳＶを書き込んでから１００ｍｓ＋α後にＲ０とＲ０’を比較することができず、ＨＤＣＰ認証が完了できない。この結果、家庭内ネットワークやＩＰＴＶシステムなどのトランスミッター装置とレシーバ装置との距離が遠い場合に、タイマの制限時間内に認証処理を行えない結果、ＨＤＣＰ認証を使用した映像伝送を提供することができないという課題があった。
【００１３】
そこで、この発明は、上述した従来技術の課題を解決するためになされたものであり、トランスミッター装置とレシーバ装置との距離が遠い場合であっても、タイマの制限時間内に認証処理を行って、認証を使用した映像伝送を行うことを目的とする。
【課題を解決するための手段】
【００１４】
上述した課題を解決し、目的を達成するため、この映像伝送装置は、トランスミッター装置が保持するキーに関する情報である第一キー情報をトランスミッター装置から受信すると、第一キー情報をレシーバ装置に転送するとともに、トランスミッター装置が保持するタイマを停止する。そして、第二キー情報および第二計算結果を保持すると、トランスミッター装置が保持するタイマを再始動する。
【発明の効果】
【００１５】
開示の装置は、トランスミッター装置とレシーバ装置の距離が遠い場合でも、タイマの制限時間内に認証処理を行える結果、ＨＤＣＰ認証を使用した映像伝送を提供することができるという効果を奏する。
【図面の簡単な説明】
【００１６】
【図１】図１は、実施例１に係る映像伝送システムの構成を示すブロック図である。
【図２】図２は、実施例１に係る映像伝送装置（送信側）の構成を示すブロック図である。
【図３】図３は、実施例１に係る映像伝送装置（受信側）の構成を示すブロック図である。
【図４】図４は、実施例１に係る映像伝送システムによる認証処理の流れを示すシーケンス図である。
【図５】図５は、実施例２に係る映像伝送システムの構成を示すブロック図である。
【図６】図６は、認証プログラムを実行するコンピュータを示す図である。
【図７】図７は、従来技術を説明するための図である。
【図８】図８は、従来技術を説明するための図である。
【図９】図９は、従来技術を説明するための図である。
【発明を実施するための形態】
【００１７】
以下に添付図面を参照して、この発明に係る映像伝送装置、認証方法、認証プログラムおよび映像伝送システムの実施例を詳細に説明する。
【実施例１】
【００１８】
以下の実施例では、実施例１に係る映像伝送システム、映像伝送装置の構成および処理の流れを順に説明し、最後に実施例１による効果を説明する。
【００１９】
［映像伝送システムの構成］
まず最初に、図１を用いて、実施例１に係る映像伝送システム１の構成を説明する。図１は、実施例１に係る映像伝送システムの構成を示すブロック図である。同図に示すように、この映像伝送システム１は、送信側の映像伝送装置１０、受信側の映像伝送装置２０、ＨＤＤレコーダ（トランスミッター装置）３０、モニタ（レシーバ装置）４０を有する。
【００２０】
映像伝送システム１では、送信側の映像伝送装置１０と受信側の映像伝送装置２０とがＩＰネットワークを介して接続され、送信側の映像伝送装置１０とＨＤＤレコーダ（トランスミッター装置）３０とがＨＤＭＩケーブルを介して接続され、受信側の映像伝送装置２０とモニタ（レシーバ装置）４０とがＨＤＭＩケーブルを介して接続されている。
【００２１】
送信側の映像伝送装置１０は、ＨＤＤレコーダ３０から受信した映像信号および音声信号を受信側の映像伝送装置２０に伝送する。また、送信側の映像伝送装置１０は、受信側の映像伝送装置２０から送信されたモニタ４０の接続完了を示すホットプラグ信号、鍵に関する情報であるＢＫＳＶ（Ｋｅｙ  Ｓｅｌｅｃｔｉｏｎ  Ｖｅｃｔｏｒ）、レシーバの計算結果であるＲ０’をＨＤＤレコーダ３０に転送する。また、送信側の映像伝送装置１０は、ＨＤＤレコーダ３０から送信されたＡＫＳＶ（Ｋｅｙ  Ｓｅｌｅｃｔｉｏｎ  Ｖｅｃｔｏｒ）を受信側の映像伝送装置２０に転送する。
【００２２】
受信側の映像伝送装置２０は、送信側の映像伝送装置１０から受信した映像信号および音声信号をモニタ４０に伝送する。また、受信側の映像伝送装置２０は、送信側の映像伝送装置１０から送信されたＡＫＳＶをモニタ４０に転送し、モニタ４０から送信されたホットプラグ信号、ＢＫＳＶ、Ｒ０’を送信側の映像伝送装置１０に転送する。
【００２３】
ＨＤＤレコーダ（トランスミッター装置）３０は、映像および音声に関するデータをハードディスクに記憶し、ＨＤＣＰ認証を行った後、映像信号および音声信号を映像伝送装置１０、２０を介してモニタ４０に伝送する。また、ＨＤＤレコーダ３０は、キーに関する情報であるＡＫＳＶを保持する。また、ＨＤＤレコーダ３０は、タイマを保持し、モニタ４０からＢＫＳＶを受信すると、タイマを始動して１００ｍｓ以内に、ＢＫＳＶを用いてＲ０を計算する。
【００２４】
モニタ（レシーバ装置）４０は、ＨＤＣＰ認証を行った後、ＨＤＤレコーダ３０から受信した映像信号および音声信号を出力する。また、モニタ４０は、キーに関する情報であるＢＫＳＶを保持する。また、モニタ４０は、接続が完了すると、ホットプラグ信号を受信側の映像伝送装置２０に通知する。また、モニタ４０は、ＨＤＤレコーダ３０から受信したＡＫＳＶを用いて、Ｒ０’を計算する。
【００２５】
［映像伝送装置の構成］
次に、図２および図３を用いて、図１に示した送信側の映像伝送装置１０および受信側の映像伝送装置２０の構成を説明する。図２は、実施例１に係る映像伝送装置（送信側）の構成を示すブロック図である。図３は、実施例１に係る映像伝送装置（受信側）の構成を示すブロック図である。
【００２６】
図２に示すように、送信側の映像伝送装置１０は、映像処理部１１、イーサネットインタフェース１２、ＭＰＵ１３、記憶部１４、ＨＤＣＰ制御部１５を有し、ＩＰネットワークを介して受信側の映像伝送装置２０と接続され、ＨＤＭＩケーブル（または、ＤＶＩケーブル）を介してトランスミッター装置３０と接続される。以下にこれらの各部の処理を説明する。
【００２７】
映像処理部１１は、トランスミッター装置３０から送信された映像信号および音声信号を受信し、受信された映像信号および音声信号をＩＰパケット化してイーサネットインタフェースに通知する。ＭＰＵ１３は、各種の処理手順などを規定したプログラムおよび所要データを格納するための内部メモリを有し、これらによって種々の処理を実行する。
【００２８】
イーサネットインタフェース１２は、イーサネット（登録商標）との通信を制御し、送信側の映像伝送装置１０が接続されるイーサネット（登録商標）に存在する他の映像伝送装置（受信側）２０などとの間でやりとりする各種情報に関する通信を制御する。具体的には、イーサネットインタフェース１２は、映像処理部１１から受信したＩＰパケット化された映像・音声データを映像伝送装置（受信側）２０に伝送する。
【００２９】
記憶部１４は、ＨＤＣＰ制御部１５による各種処理に必要なデータおよびプログラムを格納するが、特に、キー情報記憶部１４ａおよび計算結果記憶部１４ｂを有する。
【００３０】
キー情報記憶部１４ａは、レシーバ装置４０が保持するキーに関する情報であるＢＫＳＶを記憶する。具体的には、キー情報記憶部１４ａは、受信側の映像伝送装置２０から受信したＢＫＳＶ（レシーバ装置４０のＫＳＶ）を一時的に記憶する。
【００３１】
計算結果記憶部１４ｂは、レシーバ装置４０の計算結果であるＲ０’を記憶する。具体的には、計算結果記憶部１４ｂは、受信側の映像伝送装置２０から受信したＲ０’（レシーバ装置４０がＡＫＳＶを用いて計算した値）を一時的に記憶する。
【００３２】
ＨＤＣＰ制御部１５は、各種の処理手順などを規定したプログラムおよび所要データを格納するための内部メモリを有し、これらによってＨＤＣＰに関する種々の処理を実行するが、特に、ホットプラグ信号送信部１５ａ、キー情報転送部１５ｂ、キー情報記憶制御部１５ｃ、計算結果記憶制御部１５ｄを有する。
【００３３】
ホットプラグ信号送信部１５ａは、トランスミッター装置３０が保持するＡＫＳＶをトランスミッター装置３０から受信すると、トランスミッター装置３０とレシーバ装置４０とが未接続状態である旨をトランスミッター装置に通知し（ホットプラグ信号をオフにし）、トランスミッター装置３０が保持するタイマを停止する。
【００３４】
また、ホットプラグ信号送信部１５ａは、キー情報記憶部１４ａによってＢＫＳＶが保持され、かつ、キー情報記憶部１４ｂによってＲ０’が保持された場合には、ホットプラグ信号をトランスミッター装置３０に通知し、トランスミッター装置３０が保持するタイマを再始動する。
【００３５】
具体的には、ホットプラグ信号送信部１５ａは、受信側の映像伝送装置２０からホットプラグ信号を受信すると、トランスミッター装置３０にプレ認証用のホットプラグ信号を送信し、トランスミッター装置３０にＡＫＳＶ信号を送信させる。
【００３６】
また、ホットプラグ送信部１５ａは、キー情報転送部１５からＡＫＳＶを受信した旨の通知を受信すると、トランスミッター装置３０へのホットプラグ信号を一旦ＯＦＦにして、未接続状態にする。また、ホットプラグ送信部１５ａは、計算結果記憶制御部１５ｄからＲ０’を受信した旨の通知を受信すると、トランスミッター装置３０にホットプラグ信号を再度送信する。
【００３７】
キー情報転送部１５ｂは、トランスミッター装置３０が保持するキーに関する情報であるＡＫＳＶをトランスミッター装置３０から受信すると、ＡＫＳＶをレシーバ装置４０に転送する。具体的には、キー情報転送部１５ｂは、トランスミッター装置３０からＡＫＳＶを受信すると、ＡＫＳＶを受信側の映像伝送装置２０に転送する。そして、キー情報転送部１５ｂは、ＡＫＳＶを受信した旨をホットプラグ信号送信部１５ａに通知する。
【００３８】
キー情報記憶制御部１５ｃは、受信側の映像伝送装置２０からＢＫＳＶを受信すると、受信したＢＫＳＶをキー情報記憶部１４ａに記憶するように制御する。そして、キー情報記憶制御部１５ｃは、ホットプラグ送信部１５ａにＢＫＳＶを受信した旨を通知する。
【００３９】
計算結果記憶制御部１５ｄは、受信側の映像伝送装置２０からＲ０’を受信すると、受信したＲ０’を計算結果記憶部１４ｂに記憶するように制御する。そして、計算結果記憶制御部１５ｄは、Ｒ０’を受信した旨をホットプラグ送信部１５ａに通知する。
【００４０】
次に、図３を用いて、受信側の映像伝送装置２０は、映像処理部２１、イーサネットインタフェース２２、ＭＰＵ２３を有し、ＩＰネットワークを介して送信側の映像伝送装置１０と接続され、ＨＤＭＩケーブル（または、ＤＶＩケーブル）を介してレシーバ装置４０と接続される。以下にこれらの各部の処理を説明する。
【００４１】
映像処理部２１は、送信側の映像伝送装置３０から送信されたＩＰパケットを受信し、受信されたＩＰパケットから映像・音声データを抽出し、モニタ４０に送信する。イーサネットインタフェース２２は、ＩＰパケット化してイーサネットインタフェースに通知する。ＭＰＵ２３は、各種の処理手順などを規定したプログラムおよび所要データを格納するための内部メモリを有し、これらによって種々の処理を実行する。
【００４２】
［映像伝送システムによる処理］
次に、図４用いて、実施例１に係る映像伝送システム１による処理を説明する。図４は、実施例１に係る映像伝送システムによる認証処理の流れを示すシーケンス図である。
【００４３】
同図に示すように、映像伝送システム１のレシーバ装置４０は、接続が完了した旨を示すホットプラグ信号を受信側の映像伝送装置２０に送信する（ステップＳ１０１）。そして、受信側の映像伝送装置２０は、送信側の映像伝送装置１０にホットプラグ信号を転送する（ステップＳ１０２）。
【００４４】
そして、送信側の映像伝送装置１０は、ホットプラグ信号をプレ認証用のホットプラグ信号を送信し（ステップＳ１０３）、トランスミッター装置３０にＡＫＳＶ信号を送信させる（ステップＳ１０４）。
【００４５】
そして、送信側の映像伝送装置１０は、ＡＫＳＶ信号を受信側の映像伝送装置２０に転送し（ステップＳ１０５）、トランスミッター装置３０へのホットプラグ信号を一旦ＯＦＦにして、未接続状態にする（ステップＳ１０６）。
【００４６】
その後、受信側の映像伝送装置２０は、ＡＫＳＶをレシーバ装置４０に送信し（ステップＳ１０７）、ＢＫＳＶをレシーバ装置４０から受信する（ステップＳ１０８）。そして、受信側の映像伝送装置２０は、ＢＫＳＶ信号を送信側の映像伝送装置１０に転送する（ステップＳ１０９）。
【００４７】
そして、送信側の映像伝送装置１０は、受信したＢＫＳＶを一時的に保持する（ステップＳ１１０）。また、レシーバ装置４０は、受信したＡＫＳＶを用いてＲ０’を計算して確定させ、Ｒ０’を受信側の映像伝送装置２０に送信する（ステップＳ１１２）。受信側の映像伝送装置２０は、受信したＲ０’を、送信側の映像伝送装置１０に転送する（ステップＳ１１３）。
【００４８】
そして、送信側の映像伝送装置１０は、受信したＲ０’を一時的に保持する（ステップＳ１１４）。続いて、送信側の映像伝送装置１０は、トランスミッター装置３０にホットプラグ信号を再度送信する（ステップＳ１１５）。
【００４９】
そして、送信側の映像伝送装置１０は、ＡＫＳＶ信号を受信すると（ステップＳ１１６）、保持しているＢＫＳＶをトランスミッター装置３０に送信する（ステップＳ１１７）。そして、トランスミッター装置３０は、受信したＢＫＳＶを用いてＲ０を計算し確定させ（ステップＳ１１８）、その後、送信側の映像伝送装置１０が保持するＲ０’を読み出す（ステップＳ１１９）。
【００５０】
そして、トランスミッター装置３０は、Ｒ０とＲ０’とが一致するか比較するＨＤＣＰ認証を行う（ステップＳ１２０）。つまり、映像伝送システム１では、送信側の映像伝送装置１０がトランスミッター装置３０へのホットプラグ信号を一旦ＯＦＦにすることで、トランスミッター装置３０のタイマを止めた後、送信側の映像伝送装置１０がＢＫＳＶとＲ０’とを保持してから再度ホットプラグ信号を送信する。
【００５１】
この結果、映像伝送システム１では、ＩＰネットワークを介したデータのやりとりに掛かる時間をタイマの時間（１００ｍｓ）から除外することができ、Ｒ０とＲ０’の比較計算をトランスミッター装置がＡＫＳＶを送信してから１００ｍｓ＋αの時間で実施することが可能となり、トランスミッター装置３０とレシーバ装置４０との間に他の物理媒体が存在して遅延が発生する場合でも、ＨＤＣＰ認証を行うことが可能となる。
【００５２】
[実施例１の効果]
上述してきたように、映像伝送システム１では、映像伝送装置１０が、トランスミッター装置３０が保持するキーに関する情報であるＡＫＳＶをトランスミッター装置３０から受信すると、ＡＫＳＶをレシーバ装置４０に転送するとともに、トランスミッター装置３０が保持するタイマを停止する。そして、映像伝送装置１０が、ＢＫＳＶおよびＲ０’を保持すると、トランスミッター装置３０が保持するタイマを再始動する。このため、映像伝送装置１０は、トランスミッター装置３０とレシーバ装置４０の距離が遠い場合でも、タイマの制限時間内に認証処理を行える結果、ＨＤＣＰ認証を使用した映像伝送を提供することが可能である。
【００５３】
また、実施例１によれば、映像伝送システム１では、映像伝送装置１０が、トランスミッター装置３０が保持するＡＫＳＶをトランスミッター装置３０から受信すると、ホットプラグ信号をオフにしてトランスミッター装置３０とレシーバ装置４０とが未接続状態である旨をトランスミッター装置３０に通知して、トランスミッター装置３０が保持するタイマを停止する。映像伝送装置１０が、ＢＫＳＶを保持し、かつ、Ｒ０’を保持した場合には、トランスミッター装置３０とレシーバ装置４０とが接続完了である旨をトランスミッター装置３０に通知し、トランスミッター装置３０が保持するタイマを再始動することが可能である。
【実施例２】
【００５４】
さて、これまで本発明の実施例について説明したが、本発明は上述した実施例以外にも、種々の異なる形態にて実施されてよいものである。そこで、以下では実施例２として本発明に含まれる他の実施例を説明する。
【００５５】
（１）複数のトランスミッター装置
上記の実施例１では、一のトランスミッター装置と送信側の映像伝送装置がＨＤＭＩケーブルを介して接続されている場合を説明したが、本実施例はこれに限定されるものではなく、複数のトランスミッター装置と送信側の映像伝送装置がＨＤＭＩケーブルを介して接続されていてもよい。
【００５６】
具体的には、実施例２に係る映像伝送システムでは、送信側の映像伝送装置１０ａが複数のトランスミッター装置３０Ａ〜３０Ｃと接続されている。このような構成のもと、送信側の映像伝送装置１０ａは、複数のトランスミッター装置３０Ａ〜３０ＣからＡＫＳＶを受信した場合には、いずれのトランスミッター装置か受信したかを管理するようにする。
【００５７】
（２）システム構成等
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、ＭＰＵ１３とＨＤＣＰ制御部１５を統合してもよい。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００５８】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００５９】
（３）プログラム
ところで、上記の実施例で説明した各種の処理は、あらかじめ用意されたプログラムをコンピュータで実行することによって実現することができる。そこで、以下では、図６を用いて、上記の実施例と同様の機能を有するプログラムを実行するコンピュータの一例を説明する。図６は、認証プログラムを実行するコンピュータを示す図である。
【００６０】
同図に示すように、映像伝送装置としてのコンピュータ６００は、ＨＤＤ６１０、ＲＡＭ６２０、ＲＯＭ６３０およびＣＰＵ６４０をバス６５０で接続して構成される。
【００６１】
そして、ＲＯＭ６３０には、上記の実施例と同様の機能を発揮する認証プログラム、つまり、図６に示すように、ホットプラグ信号送信プログラム６３１、キー情報転送プログラム６３２、キー情報記憶制御プログラム６３３、計算結果記憶制御プログラム６３４が予め記憶されている。なお、プログラム６３１〜６３５４ついては、図２に示した映像伝送装置の各構成要素と同様、適宜統合または分散してもよい。
【００６２】
そして、ＣＰＵ６４０が、これらのプログラム６３１〜６３４をＲＯＭ６３０から読み出して実行することで、図６に示すように、各プログラム６３１〜６３４は、ホットプラグ信号送信プロセス６４１、キー情報転送プロセス６４２、キー情報記憶制御プロセス６４３、計算結果記憶制御プロセス６４４として機能するようになる。各プロセス６４１〜６４４は、図２に示したホットプラグ信号送信部１５ａ、キー情報転送部１５ｂ、キー情報記憶制御部１５ｃ、計算結果記憶制御部１５ｄにそれぞれ対応する。
【００６３】
そして、ＣＰＵ６４０は、ＲＡＭ６２０に格納されたキーデータ６２１および計算結果６２２に基づいて処理を実行する。
【符号の説明】
【００６４】
１  映像伝送システム
１０  映像伝送装置（送信側）
１１  映像処理部
１２  イーサネットインタフェース
１３  ＭＰＵ
１４  記憶部
１４ａ  キー情報記憶部
１４ｂ  計算結果記憶部
１５  ＨＤＣＰ制御部
１５ａ  ホットプラグ信号送信部
１５ｂ  キー情報転送部
１５ｃ  キー情報記憶制御部
１５ｄ  計算結果記憶制御部
２０  映像伝送装置（受信側）
２１  映像処理部
２２  イーサネットインタフェース
２３  ＭＰＵ
３０  トランスミッター装置
４０  レシーバ装置
【図１】
2010239557.tif 000003
【図２】
2010239557.tif 000004
【図３】
2010239557.tif 000005
【図４】
2010239557.tif 000006
【図５】
2010239557.tif 000007
【図６】
2010239557.tif 000008
【図７】
2010239557.tif 000009
【図８】
2010239557.tif 000010
【図９】
2010239557.tif 000011